(57)【特許請求の範囲】
【請求項１】
処理媒体が搬送される搬送路と、前記搬送路上に設置され前記処理媒体が有する情報を
複数の読み取り項目について読み取る読み取り制御部と、読み取り結果に応じた排出処理
を実行する排出処理部と、を備え、ホストコンピュータの指示に応じて複数の前記処理媒
体を連続して読み取る複合処理装置であって、
前記読み取り制御部は、高速読み取りより読み取り精度を優先する読み取り精度優先モ
ードに設定された場合に、全ての読み取り項目について読み取り処理を実行し、前記読み
取り精度より高速読み取りを優先する高速読み取り優先モードに設定された場合に、特定
の読み取り項目についてのみ読み取り処理を実行し、
前記排出処理部は、前記読み取り精度優先モードにおいて、前記全ての読み取り項目に
関する読み取り結果を考慮して排出処理を実行し、前記高速読み取り優先モードにおいて
、前記特定の読み取り項目に関する読み取り結果のみを考慮して排出処理を行い、
前記特定の読み取り項目は、前記複合処理装置が単体で読み取り判断可能な項目であり
、前記全ての読み取り項目は、前記ホストコンピュータが読み取り判断する項目を含むこ
とを特徴とする複合処理装置。
【請求項２】
前記読み取り精度優先モードには、先に搬送された前記処理媒体が排出された後に次の
処理媒体の搬送を開始する逐次処理モードと、先に搬送された前記処理媒体が排出される
前に次の処理媒体の搬送を開始する並行処理モードと、が含まれることを特徴とする請求
項１に記載の複合処理装置。
【請求項３】
前記読み取り制御部は、前記処理媒体が有する画像情報と磁気文字情報とを読み取り、
前記排出処理部は、前記画像情報と前記磁気文字情報とに基づいて前記ホストコンピュ
ータから送信された、排出経路、前記連続読み取り処理を継続するか否か、前記画像情報
と前記磁気文字情報が電子化されたことを意味する電子化済マークを付与するか否かの指
示に応じて排出処理を実行することを特徴とする請求項１または２に記載の複合処理装置
。
【請求項４】
ホストコンピュータと、
処理媒体が搬送される搬送路と、前記搬送路上に設置され前記処理媒体が有する情報を
複数の読み取り項目について読み取る読み取り制御部と、読み取り結果に応じた排出処理
を実行する排出処理部と、を備え、ホストコンピュータの指示に応じて複数の前記処理媒
体を連続して読み取る複合処理装置であって、
前記読み取り制御部は、高速読み取りより読み取り精度を優先する読み取り精度優先モ
ードに設定された場合に、全ての読み取り項目について読み取り処理を実行し、前記読み
取り精度より高速読み取りを優先する高速読み取り優先モードに設定された場合に、特定
の読み取り項目についてのみ読み取り処理を実行し、
前記排出処理部は、前記読み取り精度優先モードにおいて、前記全ての読み取り項目に
関する読み取り結果を考慮して排出処理を実行し、前記高速読み取り優先モードにおいて
、前記特定の読み取り項目に関する読み取り結果のみを考慮して排出処理を行う複合処理
装置と、
を有し、
前記特定の読み取り項目は、前記複合処理装置が単体で読み取り判断可能な項目であり
、前記全ての読み取り項目は、前記ホストコンピュータが読み取り判断する項目を含むこ
とを特徴とする複合処理システム。
【請求項５】
前記読み取り精度優先モードには、先に搬送された前記処理媒体が排出された後に次の
処理媒体の搬送を開始する逐次処理モードと、先に搬送された前記処理媒体が排出される
前に次の処理媒体の搬送を開始する並行処理モードと、が含まれることを特徴とする請求
項４に記載の複合処理システム。
【請求項６】
前記読み取り制御部は、前記処理媒体が有する画像情報と磁気文字情報とを読み取り、
前記排出処理部は、前記画像情報と前記磁気文字情報とに基づいて前記ホストコンピュ
ータから送信された、排出経路、前記連続読み取り処理を継続するか否か、前記画像情報
と前記磁気文字情報が電子化されたことを意味する電子化済マークを付与するか否かの指
示に応じて排出処理を実行することを特徴とする請求項４または５に記載の複合処理シス
テム。
【請求項７】
ホストコンピュータと、
処理媒体が搬送される搬送路と、前記搬送路上に設置され前記処理媒体が有する情報を
複数の読み取り項目について読み取り、読み取り結果に応じた排出処理を実行し、ホスト
コンピュータの指示に応じて複数の前記処理媒体を連続して読み取る複合処理装置と、を
備えた複合処理システムの制御方法であって、
前記複合処理装置は、高速読み取りより読み取り精度を優先する読み取り精度優先モー
ドに設定された場合に、全ての読み取り項目について読み取り処理を実行し、前記読み取
り精度より高速読み取りを優先する高速読み取り優先モードに設定された場合に、特定の
読み取り項目についてのみ読み取り処理を実行し、
前記読み取り精度優先モードにおいて、前記全ての読み取り項目に関する読み取り結果
を考慮して排出処理を実行し、前記高速読み取り優先モードにおいて、前記特定の読み取
り項目に関する読み取り結果のみを考慮して排出処理を行い、
前記特定の読み取り項目は、前記複合処理装置が単体で読み取り判断可能な項目であり
、前記全ての読み取り項目は、前記ホストコンピュータが読み取り判断する項目を含むこ
とを特徴とする複合処理システムの制御方法。
【請求項８】
前記読み取り精度優先モードにおいて、逐次処理モードが設定された場合には、先に搬
送された前記処理媒体が排出された後に次の処理媒体の搬送を開始し、
並行処理モードが設定された場合には、先に搬送された前記処理媒体が排出される前に
次の処理媒体の搬送を開始することを特徴とする請求項７に記載の複合処理システムの制
御方法。
【請求項９】
前記処理媒体が有する画像情報と磁気文字情報とを読み取り、読み取り情報を前記ホス
トコンピュータへ送信し、
前記読み取り情報に基づいて読み取り結果を判断し、
前記読み取り結果に応じて、排出経路、前記連続読み取り処理を継続するか否か、前記
画像情報と前記磁気文字情報が電子化されたことを意味する電子化済マークを付与するか
否かを指示することを特徴とする請求項７または８に記載の複合処理システムの制御方法
。
【発明の詳細な説明】
【技術分野】
【０００１】
本発明は、複合処理装置、複合処理システム及び複合処理システムの制御方法に関する。
【背景技術】
【０００２】
近年、小切手処理の効率化を図るために、小切手を電磁的に読み込む試みが始められている。この一環として小切手の電磁的読み込み作業を銀行の窓口で行おうとする試みも始められてきており、窓口に設置可能な小型の小切手処理装置（複合処理装置）が提案されている。
【０００３】
この処理装置には、小切手搬送路上に磁気インク読み込み装置、スキャナが備えられている。顧客から小切手を受け取った銀行員が、小切手を処理装置に通すと、処理装置は、小切手上に記録された磁気インク文字や小切手上の画像を読み込み、また小切手に裏書を行うように構成されている。読み込まれた磁気文字情報や画像情報は、ホストコンピュータへ送信される。ホストコンピュータは、受信した磁気文字情報及び画像情報が正しく読み込まれているかを照合し、照合結果に基づき、次の処理を指示するコマンドを小切手処理装置に送信する（特許文献１参照）。照合結果には、ＭＩＣＲ認証処理の結果、ＯＣＲ認証処理の結果、イメージデータの良否判定等がある。
【０００４】
例えば、排出口が複数設けられている場合には、照合結果に応じて排出口を分けるよう指示したり、正常に読み取られた場合にはその小切手の読み取り情報が電子化されたことがわかるように、小切手の表面などに電子化済みスタンプを押印するよう指示することができる。
【０００５】
このように、小切手処理装置では、ホストコンピュータから送信された読み取りコマンドに応じてデータ読み取り処理を行い、読み取り情報をホストコンピュータへ送信するだけである。基本的に、小切手処理装置はホストコンピュータのコマンドに応じた処理を行うだけで、高度な処理能力を伴う認証処理等についてはホストコンピュータへ任せるよう構成されている。
【０００６】
一方、高度な処理能力を伴わない認証処理だけを小切手処理装置自体で行って、読み取り結果に応じた処理を行うこともできる。例えば、読み取り処理において小切手を複数枚重ねて搬送してしまった場合の重送の発生有無、小切手の挿入方向異常の発生有無、小切手処理装置の周辺の外部ノイズ異常の発生有無、などは小切手処理装置が単体で判断し、それに応じた処理を行うことができる。
【０００７】
このように、ホストコンピュータ側で判断する項目と小切手処理装置側で判断する項目とを合わせると、読み取り結果の判断項目は様々である。判断項目が多いほど正確かつ確実な読み取り処理を実行することができる。しかしながら、判断項目が多いほど判断時間を要するため小切手読み取り処理のスループットが低下してしまう。このように、読み取り速度と読み取り精度とはトレードオフの関係にある。
【０００８】
ところで、ホストコンピュータから送信される連続読み取りコマンドによって、複数枚の小切手を連続して読み取ることが可能な小切手処理装置も提案されている。連続読み取りにおいても、各小切手の読み取り結果に応じて処理動作を切り替えられることが望まれている。
【特許文献１】特開２００５−１４９０１３号公報
【発明の開示】
【発明が解決しようとする課題】
【０００９】
通常、オペレータが上記連続読み取り処理を小切手処理装置に指示する場合は、読み取り処理の正確性よりも高速処理を要求したい場合である。しかし、実際には連続読み取り処理において、若干の処理速度の低下を伴いつつも高度な読み取り精度を確保したいという要求がある。このように、場面に応じて適切な小切手連続読み取り処理を実行することができる小切手処理装置が望まれている。
【００１０】
本発明は、上記課題を解決するためになされたものであり、複数の処理媒体が有する情報を連続して読み取ることが可能な複合処理装置において、場面に応じて適切な連続読み取り速度を設定することができるようにすることを目的とする。
【課題を解決するための手段】
【００１１】
上記課題を解決することのできる本発明は、処理媒体が搬送される搬送路と、前記搬送路上に設置され前記処理媒体が有する情報を複数の読み取り項目について読み取る読み取り制御部と、読み取り結果に応じた排出処理を実行する排出処理部と、を備え、ホストコンピュータの指示に応じて複数の前記処理媒体を連続して読み取る複合処理装置であって、
前記読み取り制御部は、高速読み取りより読み取り精度を優先する読み取り精度優先モードに設定された場合に、全ての読み取り項目について読み取り処理を実行し、前記読み取り精度より高速読み取りを優先する高速読み取り優先モードに設定された場合に、特定の読み取り項目についてのみ読み取り処理を実行し、
前記排出処理部は、前記読み取り精度優先モードにおいて、前記全ての読み取り項目に関する読み取り結果を考慮して排出処理を実行し、前記高速読み取り優先モードにおいて、前記特定の読み取り項目に関する読み取り結果のみを考慮して排出処理を行うことを特徴とする。
【００１２】
また、上記課題を解決することのできる本発明は、ホストコンピュータと、処理媒体が搬送される搬送路と、前記搬送路上に設置され前記処理媒体が有する情報を複数の読み取り項目について読み取る読み取り制御部と、読み取り結果に応じた排出処理を実行する排出処理部と、を備え、ホストコンピュータの指示に応じて複数の前記処理媒体を連続して読み取る複合処理装置であって、
前記読み取り制御部は、高速読み取りより読み取り精度を優先する読み取り精度優先モードに設定された場合に、全ての読み取り項目について読み取り処理を実行し、前記読み取り精度より高速読み取りを優先する高速読み取り優先モードに設定された場合に、特定の読み取り項目についてのみ読み取り処理を実行し、
前記排出処理部は、前記読み取り精度優先モードにおいて、前記全ての読み取り項目に関する読み取り結果を考慮して排出処理を実行し、前記高速読み取り優先モードにおいて、前記特定の読み取り項目に関する読み取り結果のみを考慮して排出処理を行う複合処理装置と、
を有することを特徴とする。
【００１３】
また、上記課題を解決することのできる本発明は、ホストコンピュータと、処理媒体が搬送される搬送路と、前記搬送路上に設置され前記処理媒体が有する情報を複数の読み取り項目について読み取り、読み取り結果に応じた排出処理を実行し、ホストコンピュータの指示に応じて複数の前記処理媒体を連続して読み取る複合処理装置と、を備えた複合処理システムの制御方法であって、
前記複合処理装置は、高速読み取りより読み取り精度を優先する読み取り精度優先モードに設定された場合に、全ての読み取り項目について読み取り処理を実行し、前記読み取り精度より高速読み取りを優先する高速読み取り優先モードに設定された場合に、特定の読み取り項目についてのみ読み取り処理を実行し、
前記読み取り精度優先モードにおいて、前記全ての読み取り項目に関する読み取り結果を考慮して排出処理を実行し、前記高速読み取り優先モードにおいて、前記特定の読み取り項目に関する読み取り結果のみを考慮して排出処理を行うことを特徴とする。
【００１４】
上記構成によれば、連続読み取り処理を実行するにあたって、高速処理を優先する高速読み取り優先モードか、高度な読み取り精度を優先する読み取り精度優先モードか、を指定することができる。また、高速読み取り優先モードでは特定の読み取り項目だけ判断すればよいので、その分高速処理を実現することができる。一方、読み取り精度優先モードでは全ての読み取り項目を判断するので、読み取り処理の精度をあげることができる。このため、様々な場面に応じて適切な連続読み取り速度を設定することができる。
【００１５】
また、本発明において、前記読み取り精度優先モードには、先に搬送された前記処理媒体が排出された後に次の処理媒体の搬送を開始する逐次処理モードと、先に搬送された前記処理媒体が排出される前に次の処理媒体の搬送を開始する並行処理モードと、が含まれることを特徴とする。
【００１６】
また、本発明において、前記読み取り精度優先モードには、先に搬送された前記処理媒体が排出された後に次の処理媒体の搬送を開始する逐次処理モードと、先に搬送された前記処理媒体が排出される前に次の処理媒体の搬送を開始する並行処理モードと、が含まれることを特徴とする。
【００１７】
また、本発明は、前記読み取り精度優先モードにおいて、逐次処理モードが設定された場合には、先に搬送された前記処理媒体が排出された後に次の処理媒体の搬送を開始し、
並行処理モードが設定された場合には、先に搬送された前記処理媒体が排出される前に次の処理媒体の搬送を開始することを特徴とする。
【００１８】
上記構成によれば、読み取り精度優先モードを指定した場合には、さらに並行処理モードを実行するか逐次処理モードを実行するかを選択することができる。したがって、場面に応じて適切な連続読み取り速度を設定することができる。逐次処理モードにおいては、搬送路上に処理媒体は常に１枚だけ存在する。この場合、読み取り処理が何らかの事情で中断してしまった場合には、中断原因がどの処理媒体にあるのかを容易に判断することができる。
【００１９】
また、本発明において、前記特定の読み取り項目は、前記複合処理装置が単体で読み取り判断可能な項目であり、前記全ての読み取り項目は、前記ホストコンピュータが読み取り判断する項目を含むことを特徴とする。
【００２０】
上記構成によれば、特定の読み取り項目は、複合処理装置が単体で読み取り判断可能な項目であるため、ホストコンピュータに読み取り結果の判断を行わせることがないので、さらに高速処理を実現することができる。
【００２１】
また、本発明において、前記読み取り制御部は、前記処理媒体が有する画像情報と磁気文字情報とを読み取り、
前記排出処理部は、前記画像情報と前記磁気文字情報とに基づいて前記ホストコンピュータから送信された、排出経路、前記連続読み取り処理を継続するか否か、前記画像情報と前記磁気文字情報が電子化されたことを意味する電子化済マークを付与するか否かの指示に応じて排出処理を実行することを特徴とする。
【００２２】
前記処理媒体が有する画像情報と磁気文字情報とを読み取り、読み取り情報を前記ホストコンピュータへ送信し、
前記読み取り情報に基づいて読み取り結果を判断し、
前記読み取り結果に応じて、排出経路、前記連続読み取り処理を継続するか否か、前記画像情報と前記磁気文字情報が電子化されたことを意味する電子化済マークを付与するか否かを指示することを特徴とする。
【００２３】
上記構成によれば、正常に読み取れなかった場合には、排出経路を分離したり、電子化済マークを付与しないで排出したり、読み取り処理を中止したりすることも可能になる。
【発明を実施するための最良の形態】
【００２４】
以下、本発明に係る実施形態について図面を参照して詳細に説明する。なお、本実施形態では、本発明に係る情報読取装置の一例として、ホストコンピュータと、ホストコンピュータからの指示に応じて読み取り処理を実行する複合処理装置と、から構成される複合処理システムを挙げて説明する。図１は、本発明の一実施形態に係る複合処理システムを構成する複合処理装置の用紙搬送路を示す模式図である。
（複合処理装置の機械的構成について）
図１に示すように本実施形態に係る複合処理装置１は、給紙部であるＡＳＦ（Auto Sheet Feeder:オートシートフィーダ）３に装填される小切手等の単票用紙（搬送媒体）を筐体に形成された用紙搬送路２に沿って搬送しながら、単票用紙上の両面画像の読み取り、単票用紙上の磁気インク文字の読み取りを実行可能に構成されている。
【００２５】
小切手Ｓの用紙搬送路２は略Ｕ字型形状を有しており、Ｕ字の底の部分に相当する部位が中間搬送路Ｍとなっている。この中間搬送路Ｍには、各種読取装置が設けられている。用紙搬送路２は、外側ガイド２ａと内側ガイド２ｂとの間に画成された搬送部２ｃによって構成されており、この搬送部２ｃに沿って小切手Ｓは搬送される。
【００２６】
用紙搬送路２の上流側に、複数の小切手Ｓを装填可能なＡＳＦ３が設けられている。複数の小切手Ｓは、矢印Ａの方向からＡＳＦ３を介して用紙搬送路２に挿入される。ＡＳＦ３に装填された複数の小切手Ｓは、一枚ずつ分離されて用紙搬送路２内に送り出される。
【００２７】
用紙搬送路２には、小切手Ｓの搬送を行う搬送手段として、中間搬送路Ｍの上流側に用紙搬送ローラ６と、中間搬送路Ｍ中に中間搬送ローラ１６と、中間搬送路Ｍの下流側に第２搬送ローラ７と、排出口４の手前に排出ローラ８が設けられている。用紙搬送ローラ６は、駆動ローラ６ａと、用紙搬送路２を介して駆動ローラ６ａに対向配置された押し付けローラ６ｂとを有している。また、第２搬送ローラ７は、駆動ローラ７ａと、用紙搬送路２を介して駆動ローラ７ａに対向配置された押し付けローラ７ｂとを有している。中間搬送ローラ１６は、用紙搬送路２の下方に配置された下部押えローラ１６ａと、下部押えローラ１６ａの上方に配置された上部押えローラ１６ｂと、中間搬送路Ｍを介して上部押えローラ１６ａ及び下部押えローラ１６ｂと対向配置された駆動ローラ１７とを有している。
【００２８】
ＡＳＦ３から用紙搬送路２内に送り出された小切手Ｓは、用紙搬送ローラ６、中間搬送ローラ１６、ならびに第２搬送ローラ７によって中間搬送路Ｍ内を搬送され、排出ローラ８により矢印Ｂの方向へ排出口４から排出される。
【００２９】
中間搬送路Ｍには、画像読み取りを行う用紙の画像読取装置１１および第２の画像読取装置１２がそれぞれ中間搬送路Ｍの両側に搬送方向にずれた状態で設置されている。用紙の画像読取装置１１および第２の画像読取装置１２は、それぞれＣＩＳ(Contact Image Sensor)タイプのスキャナである。用紙の画像読取装置１１および第２の画像読取装置１２は、中間搬送路Ｍを搬送される小切手Ｓの一面に光を照射し、反射した光を複数の受光素子（光電変換素子）を介して受光し、受光した光を電気信号に変換して１ライン分の画像を取得する。本実施形態では、画像読取装置１１は小切手Ｓの裏面画像を、第２の画像読取装置１２は小切手Ｓの表面画像を１ラインずつ順次読み取ることにより、小切手Ｓの二次元画像を取得する。
【００３０】
駆動ローラ１７の下方には、磁気インク文字を読み取る磁気インク文字読取装置（ＭＩＣＲ（Magnetic Ink Character Reader））１３が設置されている。磁気インク文字読取装置１３は、小切手Ｓの表面に印刷された磁気インク文字を読み取るためのセンサである。この磁気インク文字読取装置１３は、中間搬送路Ｍを介して磁気インク文字読取装置１３に対向配置された押付レバーによって小切手Ｓが磁気インク文字読取装置１３の表面に押し付けられた状態で読み取りを実行する。この場合、小切手Ｓについては、口座番号などの情報が磁気インク文字で印刷された磁気インク文字記録領域を読み取る。
【００３１】
次に、複合処理装置１の搬送部２ｃに接続された排出トレイについて図２を参照して説明する。図２は、搬送部に接続された排出トレイと、画像読取装置１１，１２、磁気インク文字読み取り装置１３及びスタンプ機構１４、との位置関係を示した模式図である。
【００３２】
排出トレイ６０は、複合処理装置１の搬送部２ｃの搬送路終端部２７近傍に取り付けられている。排出トレイ６０は、搬送部２ｃに面して設けられた各種読取装置による読み取り処理が行われ、排出ローラユニット（図示省略）によって排出された小切手Ｓを収容する。
【００３３】
排出トレイ６０は主として、内側ガイド板６１、中間ガイド板６２及び外側ガイド板６３によって外形形状が構成されており、内側ガイド板６１と中間ガイド板６２とによって第１排出路Ｘが形成され、中間ガイド板６２と外側ガイド板６３とによって第２排出路Ｙが形成されている。中間ガイド板６２の搬送路終端部２７側には、第１排出路Ｘの入り口あるいは第２排出路Ｙの入り口を開放または閉鎖するための排出路切換板６４が回動可能に設けられ、搬送路切換板６４の先端部は搬送路終端部２７にほぼ位置するように構成されている。
【００３４】
本実施形態における排出路切換板６４は、各種読取装置による読み取り処理が正常に行われたか否かによってその向きが変更され、搬送部２ｃと連続する排出路を切り換える役割を果たしている。
【００３５】
スタンプ機構１４は、搬送路終端部２７に設置されており、排出トレイ６０へ排出される直前の小切手Ｓの表面に押印する。各種読取装置によって小切手Ｓの画像情報及び磁気インク文字が読み取られると、正常に電子化されたことを意味する電子化済マークを付与する。
【００３６】
＜複合処理システムの内部処理について＞
次に複合処理システムの内部処理について図３を参照して説明する。図３は、複合処理システムの内部処理を示す機能ブロック図である。複合処理システム１００は、ホストコンピュータ３０と複合処理装置２０とを備えている。
【００３７】
（ホストコンピュータの内部処理について）
ホストコンピュータ３０は、主として、コマンド生成部３２と、読み取り情報判断部３３と、送受信部３４と、を備えている。
【００３８】
コマンド生成部３２は、複合処理装置２０に各種動作を実行させるためのコマンドを生成する。具体的には、ＡＳＦ３に装填された複数枚の小切手Ｓを搬送経路に沿って搬送させ、画像読取装置１１,１２による画像読み取り、磁気インク文字読取装置１３による磁気インク文字読み取りを指示する連続読み取りコマンドがある。また、連続読み取り処理において、各小切手Ｓの読み取り結果に応じた排出処理を設定する動作条件設定コマンドを生成する。
【００３９】
読み取り情報判断部３３は、複合処理装置２０で読み取られた読み取り情報の認識処理を行う。具体的には、画像読取装置１１,１２によって読み取られたイメージデータの良否判定（ＣＡＲ／ＬＡＲ、ＩＱＡなど）、ＯＣＲ認識処理、ＭＩＣＲ認識処理を行う。
【００４０】
送受信部３４は、複合処理装置２０との間でデータを送受信するためのインターフェースである。コマンド生成部３２が生成した各種コマンドを送信したり、複合処理装置２０から送信された読み取り情報を受信する。
【００４１】
（複合処理装置の内部処理について）
複合処理装置２０は、主として、受信部２１、特殊コマンド解析部２２、受信バッファ２３、コマンド解析部２４、排出制御部２５、状態管理部２６、搬送制御部２７、読み取り制御部２８、ステータス情報生成部２９及び送信部４０を備えている。
【００４２】
受信部２１は、ホストコンピュータ３０から送信されるデータを受信するためのインターフェースである。受信部２１が受信したデータが特殊コマンドであれば、特殊コマンド解析部２２によって解析され、特殊コマンドでない場合にはそのまま受信バッファ２３へ一時的に格納される。コマンド解析部２４は、受信バッファ２３に格納されたデータを順次読み出して解析し、解析結果に応じて状態管理部２６が各制御部に指示を行う。
【００４３】
コマンド解析部２４がデータ解析した結果、受信したデータが連続読み取りコマンドであれば、状態管理部２６は搬送制御部２７及び読み取り制御部２８に対して小切手Ｓの連続読み取り処理を実行するよう指示する。具体的には、小切手Ｓに記載されている表面画像、裏面画像及び磁気インク文字の読み取り処理を実行するよう指示する。
【００４４】
排出制御部２５は、ホストコンピュータ３０から送信される動作条件設定コマンドによって、連続読み取り処理における各小切手Ｓの排出処理が設定される。例えば、動作条件設定にしたがって、排出路切換板６４を回転させその向きを変更する。これにより、読み取り結果に応じて排出路Ｘ，Ｙを切り換えることができる。
【００４５】
また、読み取り制御部２８は、画像読取装置１１,１２、磁気インク文字読取装置１３によって読み取った読み取り情報を送信部４０を介してホストコンピュータ３０へ送信する。
【００４６】
状態管理部２６は、複合処理装置２０の全体の動作を統括制御する。各構成部を監視しており、変化があるとステータス情報生成部２９がステータス情報を生成する。例えば、ＡＳＦ３から小切手Ｓを送り出したことを知らせる送り出し開始ステータス、画像読取装置１１，１２、磁気インク文字読取装置１３による読み取り処理が終了したことを知らせる読み取り終了ステータス、小切手Ｓを排出トレイ６０へ排出したことを知らせる排出終了ステータスなどがある。生成されたステータス情報は、送信部４０を介してホストコンピュータ３０へ送信される。
【００４７】
特殊コマンド解析部２２は、受信したデータに特定の文字列が含まれていれば、特殊コマンドと認識しその特殊コマンドの解析を行う。
【００４８】
＜連続読み取り処理について＞
次に、本実施形態の複合処理システム１００が行う連続読み取り処理について説明する。
複合処理装置２０は、高速読み取りより読み取り精度を優先する読み取り精度優先モードと、読み取り精度より高速読み取りを優先する高速読み取り優先モードと、を場面に応じて切り替えて実行することができる。
読み取り制御部２８は、読み取り精度優先モードが設定されると、全ての読み取り項目について読み取り処理を実行する。高速読み取り優先モードが設定されると、特定の読み取り項目についてのみ読み取り処理を実行する。
【００４９】
読み取り項目の具体例としては、Ａ：読み取り処理において小切手Ｓを複数枚重ねて搬送してしまった場合の重送の発生有無、Ｂ：小切手Ｓの挿入方向異常の発生有無、Ｃ：複合処理装置２０周辺のノイズ異常の発生有無、Ｄ：ＭＩＣＲ認証処理の結果、Ｅ：ＯＣＲ認証処理の結果、Ｆ：イメージデータの良否判定等がある。
【００５０】
つまり、読み取り制御部２８は、読み取り精度優先モードが設定されると、Ａ〜Ｆの全ての読み取り項目について読み取り結果を判断し、高速読み取り優先モードが設定されると、Ａ〜Ｆの少なくとも何れかの読み取り項目について読み取り判断を行う。本実施形態では、高速読み取り優先モードが設定されると、Ａ〜Ｃの３つの読み取り項目について読み取り結果を判断する。
【００５１】
つまり、Ａ〜Ｃの項目は、複合処理装置２０が単体で読み取り判断可能な項目であり、Ｄ〜Ｆの項目は、ホストコンピュータ３０側で判断する必要がある読み取り項目である。高速読み取り優先モードではＡ〜Ｃの項目だけを判断すれば良いので判断時間を短縮でき、高速処理を実現することができる。また、読み取り精度優先モードでは、全ての項目について判断するので正確かつ確実な小切手読み取り処理を行うことができる。
【００５２】
なお、本実施形態の連続読み取りコマンドは少なくとも、高速読み取り優先モードあるいは読み取り精度優先モードの選択、小切手Ｓに書き込まれた磁気文字情報の読み取りを行うか否か、小切手Ｓに書き込まれた画像情報の読み取り処理を行うか否か、を指定するコマンドである。
【００５３】
また、動作条件設定コマンドには、高速読み取り優先モードにおける読み取り項目の選択と、各読み取り項目の読み取り結果に応じた排出処理と、を設定する第１の動作条件設定コマンドが含まれる。また、読み取り精度優先モードにおける排出処理を設定する第２の動作条件設定コマンドがある。
【００５４】
第１の動作条件設定コマンドは、高速読み取り優先モードにおける読み取り項目Ａについて、重送を検出したときの排出先の選択、重送を検出したときの電子化済みスタンプ押印処理の選択、正常時の電子化済スタンプ押印処理の選択、重送を検出したときに連続読み取り処理を継続して実行するか否か、を指定する。
また、読み取り項目Ｂについては、小切手Ｓの挿入方法異常を検出したときの排出先の選択、挿入方向異常を検出したときの電子化済みスタンプ押印処理の選択、挿入方向異常を検出したときに連続読み取り処理を継続して実行するか否か、を指定する。
また、読み取り項目Ｃについて、外部ノイズ異常を検出したときの排出先の選択、外部ノイズ異常を検出したときの電子化済みスタンプ押印処理の選択、外部ノイズ異常を検出したときに連続読み取り処理を継続して実行するか否か、を指定する。
【００５５】
一方、第２の動作条件設定コマンドは、読み取り精度優先モードにおける排出先の選択、電子化済みスタンプ押印処理の選択、連続読み取り処理を実行するか否か、を指定するコマンドである。
【００５６】
以下では、連続読み取り処理を各モードに分けて説明する。
（高速読み取り優先モード）
図４は、高速読み取り優先モードを説明するためのフローチャートであり、図５は、高速読み取り優先モードを説明するためのタイムチャートである。図５に示すように、高速読み取り優先モードでは、先に搬送された小切手Ｓが排出トレイ６０に排出される前に次の小切手Ｓの搬送を開始することができる。また、上述した読み取り項目のうちＡ〜Ｃの項目について判断し、読み取り結果に応じた排出処理を行う。
【００５７】
オペレータが、連続読み取りにおける高速読み取りモードを指示すると、ホストコンピュータ３０のコマンド生成部３２が動作条件を設定する動作条件設定コマンドを生成し、送受信部３４を介して複合処理装置２０へ送信する（ステップＳ１１）。複合処理装置２０のコマンド解析部２４が、ホストコンピュータ３０から送信されたデータが動作条件設定コマンドであると解析すると、排出制御部２５は連続読み取り処理における各小切手Ｓの排出処理を設定する（ステップＳ２１）。
【００５８】
次に、ホストコンピュータのコマンド生成部３２が小切手の連続読み取りコマンドを生成し、複合処理装置２０へ送信する（ステップＳ１２）。複合処理装置２０は連続読み取りコマンドを受信すると、１枚目の小切手Ｓを送り出すとともに送り出し開始ステータスを送信する。画像読取装置１１，１２によって小切手Ｓの画像を読み取り（ステップＳ２２）、磁気インク文字読取装置１３によって小切手Ｓの磁気インク文字を読み取る（ステップＳ２３）。読み取り情報は複合処理装置２０からホストコンピュータ３０へ送信される（ステップＳ２４）。読み取り処理が終了すると、読み取り終了ステータスをホストコンピュータ３０へ送信する。
【００５９】
読み取り項目Ａ〜Ｃについて読み取り結果を判断し（ステップＳ２５）、ステップ２１で設定された動作条件にしたがって判断結果に応じた排出処理を行う（ステップＳ２６）。具体的には、電子化済スタンプを押印する設定になっていれば小切手Ｓの表面に押印してから排出トレイ６０へ排出する。また、排出トレイ６０のうち動作条件設定コマンドによって設定された排出路へ排出される。１枚目の小切手Ｓの排出処理が終了すると、複合処理装置２０はホストコンピュータ３０へ排出終了ステータスを送信する。
【００６０】
連続読み取り処理を継続する設定になっている場合には（ステップＳ２７：Ｙｅｓ）、全ての小切手Ｓの読み取り処理が終了していなければ（ステップＳ２８：Ｎｏ）、次の小切手Ｓを送り出し（ステップＳ２９）、ステップＳ２２からステップＳ２８を繰り返し実行する。ステップＳ２８において全ての小切手Ｓの読み取り処理が終了すると（ステップＳ２８：Ｙｅｓ）連続読み取り終了ステータスをホストコンピュータ３０へ送信し、連続読み取り処理を終了する（ステップＳ３０）。
【００６１】
なお、ステップＳ２７において、連続読み取り処理を継続する設定になっていない場合も、連続読み取り終了ステータスをホストコンピュータ３０へ送信し、連続読み取り処理を終了する（ステップＳ３０）。
【００６２】
一方、ホストコンピュータ３０では、複合処理装置２０から送信されたデータが連続読み取り終了ステータスであると判断すると（ステップＳ１３）、小切手Ｓの連続読み取り処理を終了する。
【００６３】
次に読み取り精度優先モードについて説明する。
（読み取り精度優先モード）
図６は、読み取り精度優先モードを説明するためのフローチャートであり、図７は、読み取り精度優先モードを説明するためのタイムチャートである。図７に示すように、読み取り精度優先モードでは、小切手Ｓの読み取り処理が終了すると排出処理を開始する前に一時停止し、ホストコンピュータ３０からの動作条件設定コマンドを待って、排出処理を行う。また、上述した読み取り項目のうちＡ〜Ｆの全ての項目について判断し、読み取り結果に応じた排出処理を行う。
【００６４】
オペレータが、連続読み取りにおける読み取り精度優先モードを指示すると、ホストコンピュータ３０のコマンド生成部３２が小切手の連続読み取りコマンドを生成し、複合処理装置２０へ送信する（ステップＳ３１）。
【００６５】
複合処理装置は、連続読み取りコマンドを受信すると、１枚目の小切手Ｓを送り出すとともに送り出し開始ステータスを送信する。画像読取装置１１，１２によって小切手Ｓの画像を読み取り（ステップＳ４１）、磁気インク文字読取装置１３によって小切手Ｓの磁気インク文字を読み取る（ステップＳ４２）。読み取り情報は複合処理装置２０からホストコンピュータ３０へ送信される（ステップＳ４３）。読み取り処理が終了すると、読み取り終了ステータスをホストコンピュータ３０へ送信する。
【００６６】
ホストコンピュータ３０は、複合処理装置２０から送信されたデータが小切手Ｓから読み取られた読み取り情報であると判断すると（ステップＳ３２）、読み取り項目Ａ〜Ｆについて読み取り判断する（ステップＳ３３）。次に、読み取り判断結果に応じた動作条件を設定する動作条件設定コマンドを生成し、送受信部３４を介して複合処理装置２０へ送信する（ステップＳ３４）。
【００６７】
複合処理装置２０では、ホストコンピュータ３０から動作条件設定コマンドが送信されるまで、処理を一時停止する。コマンド解析部２４が、ホストコンピュータ３０から送信されたデータが動作条件設定コマンドであると解析すると、排出制御部２５は動作条件を設定する（ステップＳ４４）。
【００６８】
ステップ４４で設定された動作条件が、電子化済スタンプを押印する設定になっていれば小切手Ｓの表面に押印してから排出トレイ６０へ排出する。また、排出トレイ６０のうち動作条件設定コマンドによって設定された排出路へ排出し（ステップＳ４５）、１枚目の小切手Ｓの排出処理が終了すると、複合処理装置２０はホストコンピュータ３０へ排出終了ステータスを送信する。さらに、連続読み取り処理を継続する設定になっており（ステップＳ４６：Ｙｅｓ）、全ての小切手Ｓの読み取り処理が終了していなければ（ステップＳ４７：Ｎｏ）、次の小切手Ｓを送り出し（ステップＳ４８）、ステップＳ４１からステップＳ４７を繰り返し実行する。
【００６９】
ステップＳ４７において全ての小切手Ｓの読み取り処理が終了すると（ステップＳ４７：Ｙｅｓ）、連続読み取り終了ステータスをホストコンピュータ３０へ送信し、連続読み取り処理を終了する（ステップＳ４９）。
【００７０】
一方、ステップＳ４６において、設定された動作条件が連続読み取り処理を継続する設定になっていない場合も、連続読み取り終了ステータスをホストコンピュータ３０へ送信し、連続読み取り処理を終了する（ステップＳ４９）。
【００７１】
一方、ホストコンピュータ３０では、複合処理装置２０から送信されたデータが連続読み取り終了ステータスであると判断すると（ステップＳ３２）、小切手Ｓの連続読み取り処理を終了する。
【００７２】
なお、ステップＳ４４でホストコンピュータ３０から送信される動作条件コマンドは、読み取り精度優先モードにおいて並行処理を行うか逐次処理を行うかの設定条件を含んでいる。
図７に示すように、並行処理とは、１枚目の小切手Ｓを排出すると同時に２枚目の小切手Ｓの送り出しを開始する処理である。つまり、１枚目の読み取り処理以降は、搬送部２ｃに２枚の小切手Ｓが存在することになる。
【００７３】
図８は、読み取り精度優先モードにおける逐次処理を説明するためのタイムチャートである。
図８に示すように、逐次処理は１枚目の小切手Ｓの排出が完全に終了してから２枚目の小切手Ｓの送り出しを開始する処理である。つまり、搬送部２ｃには、小切手Ｓは常に１枚だけ存在する。この場合、読み取り処理が何らかの事情で中止した場合には、中止原因がどの小切手Ｓにあるのかを容易に判断することができる。
【００７４】
このように、本実施形態によれば、小切手Ｓの連続読み取り処理を実行するにあたって、高速処理を優先する高速読み取り優先モードか、若干の処理速度の低下を伴いつつも高度な読み取り精度を優先する読み取り精度優先モードか、を連続読み取りコマンドによって指定することができる。また、読み取り精度優先モードを指定した場合には、動作条件設定コマンドによって、並行処理を実行するか逐次処理を実行するかを選択することができる。したがって、場面に応じて適切な連続読み取り速度を設定することができる。
【図面の簡単な説明】
【００７５】
【図１】本発明の一実施形態に係る複合処理システムを構成する複合処理装置の用紙搬送路を示す模式図である。
【図２】搬送部に接続された排出トレイと、画像読取装置１１，１２、磁気インク文字読み取り装置１３及びスタンプ機構１４、との位置関係を示した模式図である。
【図３】複合処理システムの内部処理を示す機能ブロック図である。
【図４】高速読み取り優先モードを説明するためのフローチャートである。
【図５】高速読み取り優先モードを説明するためのタイムチャートである。
【図６】読み取り精度優先モードを説明するためのフローチャートである。
【図７】読み取り精度優先モードを説明するためのタイムチャートである。
【図８】読み取り精度優先モードにおける逐次処理を説明するためのタイムチャートである。
【符号の説明】
【００７６】
２０：複合処理装置、２１：受信部、２２：特殊コマンド解析部、２３：受信バッファ、２４：コマンド解析部、２５：排出処理部、２６：状態管理部、２７：搬送制御部、２８：読み取り制御部、２９：ステータス情報生成部、４０：送信部、３０：ホストコンピュータ、３２：コマンド生成部、３３：読み取り情報判断部、３４：送受信部
【図１】
0005194606.tif 000002
【図２】
0005194606.tif 000003
【図３】
0005194606.tif 000004
【図４】
0005194606.tif 000005
【図５】
0005194606.tif 000006
【図６】
0005194606.tif 000007
【図７】
0005194606.tif 000008
【図８】
0005194606.tif 000009